(57)【要約】【課題】本発明は、携帯可能な折り畳み式酸素チャンバに関する。【解決手段】患者を収容できるチューブと、チューブを保護する本体部とから構成され、前記本体部は長手方向に形成された複数の円筒形本体に分けられ、それらが互いに挿入されて重なるように備えられるので、体積を減らして簡便に携帯及び保管できる、携帯可能な折り畳み式高圧酸素チャンバに関する。【選択図】  図１
2016087414.tif 000002
【特許請求の範囲】
【請求項１】
折り畳み式で備えられる円筒形の本体部（１００）と、
前記本体部（１００）の一側面に備えられる本体出入口（２００）と、
前記本体部（１００）の内部に円筒形で備えられるチューブ（３００）と、
前記チューブ（３００）の一側面に備えられるチューブ出入口（４００）と、
前記チューブ（３００）の一面に備えられる酸素注入管（５１０）と、
前記チューブ（３００）の一面に備えられる酸素調節部（６００）とを含み、
前記本体出入口（２００）及び前記チューブ出入口（４００）は対応する位置に備えられ、
前記チューブ（３００）は患者を収容できる空間が備えられることを特徴とする携帯可能な折り畳み式高圧酸素チャンバ。
【請求項２】
前記本体部（１００）は、本体Ａ（１１０）と、本体Ｂ（１２０）とを含み、
前記本体Ａ（１１０）及び前記本体Ｂ（１２０）は、それぞれ一端が開口し、他端は密閉され、本体Ａ（１１０）及び本体Ｂ（１２０）が対向するように備えられ、
前記本体Ａ（１１０）の開口部分の内部に本体Ｂ（１２０）が挿入されることを特徴とする請求項１に記載の携帯可能な折り畳み式高圧酸素チャンバ。
【請求項３】
前記本体Ａ（１１０）と前記本体Ｂ（１２０）の間を連結する少なくとも１つの本体Ｃ（１３０）をさらに含むことを特徴とする請求項２に記載の携帯可能な折り畳み式高圧酸素チャンバ。
【請求項４】
前記チューブ出入口（４００）は、チューブ（３００）が外皮（４１０）と内皮（４２０）に分かれるように形成され、前記外皮（４１０）及び前記内皮（４２０）にそれぞれ外部ジッパー（４１１）及び内部ジッパー（４２１）が形成され、
前記外部ジッパー（４１１）及び前記内部ジッパー（４２１）は、互いに重ならないように離間して備えられることを特徴とする請求項１に記載の携帯可能な折り畳み式高圧酸素チャンバ。
【請求項５】
前記外皮（４１０）に備えられる少なくとも１つの第１突起部（４１５）と、
前記内皮（４２０）に備えられる少なくとも１つの第２突起部（４２５）とをさらに含み、
第１突起部（４１５）及び第２突起部（４２５）は、外部ジッパー（４１１）と内部ジッパー（４２１）の間に位置し、ジッパーの長手方向に形成され、第１突起部（４１５）及び第２突起部（４２５）が互いに噛み合うことを特徴とする請求項４に記載の携帯可能な折り畳み式高圧酸素チャンバ。
【請求項６】
前記外皮（４１０）に備えられる少なくとも１つの第１輪部（４１５'）と、
前記内皮（４２０）に備えられる少なくとも１つの第２輪部（４２５'）とをさらに含み、
第１輪部（４１５'）及び第２輪部（４２５'）は、フック状に形成され、外部ジッパー（４１１）と内部ジッパー（４２１）の間に位置し、ジッパーの長手方向に形成され、第１輪部（４１５'）及び第２輪部（４２５'）が互いに噛み合うことを特徴とする請求項４に記載の携帯可能な折り畳み式高圧酸素チャンバ。
【請求項７】
本体部（１００）は、下部に着脱可能な車輪（７００）を含むことを特徴とする請求項１に記載の携帯可能な折り畳み式高圧酸素チャンバ。
【発明の詳細な説明】
【技術分野】
【０００１】
本発明は、携帯可能な折り畳み式酸素チャンバに関し、患者を収容できるチューブと、チューブを保護する本体部とから構成され、前記本体部は長手方向に形成された複数の円筒形本体に分けられ、それらが互いに挿入されて重なるように備えられるので、体積を減らして簡便に携帯及び保管できる、携帯可能な折り畳み式高圧酸素チャンバに関する。
【背景技術】
【０００２】
高圧酸素チャンバは、高圧酸素治療法に用いられる主要装置であり、一般的な呼吸環境より高い気圧となった状態で純度１００％の酸素を１時間から２時間呼吸させる治療法で、外傷、炎症、浮腫、病菌感染などにより損傷した組織細胞に効果的に酸素を供給することにより、治療効果と質を向上させるのに用いられる。
【０００３】
上記高圧酸素治療のために、アルミニウム合金を用いて２〜１０ｐｓｉ（Pound per Square Inch）（圧力の単位であり、１平方インチ当たりの重量）の圧力まで耐えられるように設計されたハードチャンバが用いられてきたが、体積が非常に大きいので、その保管は病院や軍隊などの限られた場所でのみ可能であるという問題があった。すなわち、家庭用として用いるには重量が重すぎ、サイズも大きいので、高圧酸素チャンバによる様々な治療方法が公開されているにもかかわらず、家庭では個人的な用途で高圧酸素チャンバを用いることができないという問題があった。
【０００４】
上記従来の問題を解決すべく、携帯及び保管が容易な柔らかいポリウレタン材質を用いて２〜４ｐｓｉ（Pound per Square Inch）（圧力の単位であり、１平方インチ当たりの重量）の圧力まで耐えられるように設計された高圧酸素ソフトチャンバが開発されたが、前記ソフトチャンバはその材質が柔らかく、携帯が容易であるという利点はあるものの、前記ハードチャンバに比べて高い圧力に耐えられないので治療効果が低下し、個人及び家庭用として用いるソフトチャンバの特性を有する上、衝撃によるチャンバの破損に対して脆弱であり、高圧酸素爆発などの危険にさらされるという問題があった。
【０００５】
特許文献１は、高圧酸素チューブに関し、下部支持チューブと、患者を収容できる空間が備えられるチャンバとを含み、前記下部支持チューブ及び前記チャンバが高圧酸素を注入すると膨張することを特徴とする高圧酸素チューブに関し、前記高圧酸素チューブが外側に出入手段を備えるので患者の出し入れに便利であるが、前記出入手段がジッパーで構成されるのでチャンバ内の高圧酸素が流出することがあり、それにより爆発などの危険にさらされるという問題があった。
【０００６】
特許文献２は、休眠用酸素カプセルに関し、外部大気中の空気との接触を遮断するために密閉されたカプセルを提供し、カプセル内部の酸素濃度コントローラを用いて酸素発生器から必要量の酸素をカプセル内部に供給する一方、利用者から発生する二酸化炭素、粉塵、臭いなどはＨＥＰＡフィルタ及びカーボンフィルタにより除去し、二酸化炭素により上昇したカプセル内部の温湿度をコントロールするためのチューニングクーラーを設置することを特徴とする。
【０００７】
しかし、特許文献２は、特許文献１と同様に、出入手段であるカプセルドアが単なる出入口の役割しか果たさないように構成されているので、出入口から高圧酸素が流出するという問題があった。
【０００８】
特許文献３は、球形高濃度酸素カプセルに関し、特に酸素発生器又はコンプレッサなどの酸素供給装置から供給された高濃度の酸素をタイヤチューブ状の球形高濃度酸素カプセルに供給し、酸素カプセルの内部に入って座った状態で患者が高濃度の酸素を所定時間続けて吸入することにより皮膚を改善し、皮膚の傷に対して早期に高圧酸素治療を施すことができ、病院、サウナ、チムジルバン、休憩所、美容院又は理髪店で疲労を回復して健康を増進させることができ、カバー本体の内部に吸入マスクが内蔵されているので、吸入マスクを着用しなくてもよいが、吸入マスクを着用するとカプセル内部で吸入する酸素濃度を２７〜３０％から約１００％まで向上させることのできる球形高濃度酸素カプセルに関する。特許文献３は、チューブからなるカプセルのみ用いるので、外部からの衝撃や破損によりチューブが損傷すると高圧酸素爆発の危険にさらされるという問題があり、チューブの出入手段として外部ジッパー及び内部ジッパーのみ用いるので、ジッパーの間から高圧酸素が流出することを防止できないという問題があった。
【先行技術文献】
【特許文献】
【０００９】
【特許文献１】韓国登録特許第１０−０７７７３５８号公報
【特許文献２】韓国登録実用新案第２０−０４６１１４１号公報
【特許文献３】韓国登録特許第１０−０８２２８７６号公報
【発明の概要】
【発明が解決しようとする課題】
【００１０】
本発明は、家庭でも容易に用いることができるように折り畳み式で構成された酸素チャンバを提供すると共に、本体部を折り畳み式で構成して携帯及び保管を容易にし、高圧の酸素に耐えられるように設計した携帯可能な折り畳み式高圧酸素チャンバを提供することを目的とする。
【課題を解決するための手段】
【００１１】
上記目的を達成するために、本発明は、チューブと、本体部と、酸素調節部と、酸素注入管と、酸素注入口とを含む携帯可能な折り畳み式高圧酸素チャンバを提供し、詳細には、ユーザを収容できる空間を確保したチューブと、チューブを保護する本体部とから構成され、前記本体部は長手方向に形成された複数の円筒形本体に分けられ、それらが互いに挿入されて重なるように備えられ、一側面に本体出入口及び酸素調節部が備えられ、前記チューブは一側面に外部から引き込まれる酸素注入管が連結される酸素注入口を含むことを特徴とする。
【発明の効果】
【００１２】
本発明によれば、携帯可能な折り畳み式高圧酸素チャンバは、チューブと本体部とから構成されたチャンバであり、本体部で覆うことにより、チューブだけでは耐えられない高圧酸素及びチューブに加えられる衝撃から保護する２段チャンバ構造で構成されるので、より安全に高圧酸素治療を施すことができるという効果がある。
【００１３】
また、前記本体部は長手方向に形成された複数の円筒形本体で構成され、複数の円筒形本体は互いに挿入されて重なるように備えられるので、使用しないときに携帯及び保管が容易であるという効果がある。
【００１４】
また、チューブの一側面に備えられたチューブ出入口は、外部及び内部ジッパーで構成されるので、チューブ内の高圧酸素が流出しにくくなるという効果がある。
【図面の簡単な説明】
【００１５】
【図１】本発明の一実施形態による携帯可能な折り畳み式高圧酸素チャンバを示す斜視図である。
【図２】本発明の一実施形態による携帯可能な折り畳み式高圧酸素チャンバの本体部が互いに挿入されて重なることを示す斜視図である。
【図３】本発明の一実施形態による携帯可能な折り畳み式高圧酸素チャンバの本体部が互いに挿入されて携帯用に変形可能であることを示す斜視図である。
【図４】本発明の一実施形態による携帯可能な折り畳み式高圧酸素チャンバを示す斜視図である。
【図５】本発明の一実施形態による携帯可能な折り畳み式高圧酸素チャンバのチューブを示す斜視図である。
【図６】本発明の一実施形態による携帯可能な折り畳み式高圧酸素チャンバのチューブ出入口を示す断面図である。
【図７】本発明の一実施形態による携帯可能な折り畳み式高圧酸素チャンバを示す断面図である。
【図８】本発明の一実施形態による携帯可能な折り畳み式高圧酸素チャンバを示す断面図である。
【図９】本発明の一実施形態による携帯可能な折り畳み式高圧酸素チャンバの本体Ａに車輪が取り付けられた状態を示す斜視図である。
【発明を実施するための形態】
【００１６】
以下、添付図面を参照して、本発明による実施形態について詳細に説明する。この過程で、図面に示す構成要素の大きさや形状などは、説明の明瞭性と便宜のために誇張して図示することもある。また、ここに用いる用語は本発明の構成及び作用を考慮して特別に定義されたものであるが、ユーザ、運用者の意図又は慣例により異なる意味でとられることもある。それらの用語に対しては、本明細書全般にわたる内容に基づいて定義されるべきである。また、本発明の思想は提示される実施形態に限定されるものではなく、本発明の思想を理解する当業者であれば同じ思想の範囲内で他の実施形態を容易に導くことができるが、それらも本発明の範囲に含まれることは言うまでもない。
【００１７】
図１は本発明の一実施形態による携帯可能な折り畳み式高圧酸素チャンバを示す斜視図である。以下、図１を参照して説明するが、図１に図示されていない構成は別途に参照図面を示す。
【００１８】
本発明の一態様による携帯可能な折り畳み式高圧酸素チャンバは、本体部１００と、本体出入口２００と、チューブ３００と、チューブ出入口４００と、酸素発生部５００と、酸素注入管５１０と、酸素注入口５３０と、酸素調節部６００とから構成される。
【００１９】
本発明の一態様において、本体部１００はアルミニウム合金材質で構成された円筒形をなし、チューブ３００はポリウレタン材質で構成された円筒形をなすが、必ずしもこれらに限定されるものではない。
【００２０】
図１に示すように、本体部１００は円筒形をなし、長手方向に地面に寝かせて用いられる。また、内部にチューブ３００が備えられる空間を確保しており、チューブ３００は患者を収容できる空間が備えられ、本体部１００と同様に長手方向に本体部１００の内部に備えられる。詳細には、本体部１００の内側面はチューブ３００の外側面と同じ形状に形成されており、高圧酸素によりチューブ３００が膨張しても本体部１００がチューブの圧力を分散して吸収するので、高圧酸素によるチューブ３００の破損を防止することができ、外部からの衝撃によるチューブ３００の破損を防止することができるという効果がある。
【００２１】
図３に示すように、本体部１００は側面に備えられる本体出入口２００を含み、チューブ３００は側面にチューブ出入口４００を含む。詳細には、本体出入口２００とチューブ出入口４００は対応する位置に備えられる。前記対応とは、同じ位置に備えられることを意味し、本体出入口２００とチューブ出入口４００の位置が同一方向であることを意味する。すなわち、本体出入口２００を開放すると、開放された部分にチューブ出入口４００が備えられており、ユーザが本体出入口２００の開口部分から容易にチューブ出入口４００を操作することができるので、ユーザはチャンバ１０の出し入れが便利である。
【００２２】
図７に示すように、チューブ３００の一端面に酸素注入口５３０が備えられ、本体部１００の一端面に酸素通路口５２０が備えられ、酸素注入口及び酸素通路口５２０は同じ位置に備えられているので、酸素注入口５３０に酸素注入管５２０が連結されて酸素通路口５２０を介して酸素発生部５００に連結される。詳細には、酸素発生部５００は酸素注入管５２０に連結され、酸素注入管５２０は本体部１００の一端面に備えられる酸素通路口５２０を介してチューブ３００の一端面に備えられる酸素注入口５３０に連結される。より詳細には、酸素注入口５３０及び酸素通路口５２０は同一方向に備えられており、酸素注入口５３０及び酸素通路口５２０の内周面が酸素注入管５１０の外周面と等しくなるように備えられる。
【００２３】
すなわち、酸素発生部５００で発生した酸素が酸素注入管５１０及び酸素通路口５２０を介してチューブ３００内に注入され、酸素注入口５３０及び酸素通路口５２０の内周面が酸素注入管５１０の外周面と等しくなるように備えられるので、チューブ３００内の高圧酸素の外部への流出が遮断される。
【００２４】
図７に示すように、酸素調節部６００は、ユーザがチャンバ１０の内側又は外側から気体の量を調節できるように本体部１００の一端面に備えられ、チューブ３００の一端面に連結される。詳細には、酸素調節部６００は、酸素の排出量を調節するバルブ及び酸素以外の気体の量を調節するフィルタを含む。より詳細には、酸素調節部６００は、本体部１００の一端面から外側に突出しており、本体部１００の内側に貫通してチューブ３００の一端面に連結され、チューブ３００の内側と本体部１００の外側にそれぞれバルブが備えられているので、ユーザがチューブ３００の内部及び本体部１００の外部から酸素及び気体の量を調節することができる。
【００２５】
本発明の一実施形態において、図２及び図７に示すように、本体部１００は、長手方向に形成された複数の円筒形本体に分けられ、それらが互いに挿入されて重なるように備えられる。詳細には、本体部１００は、一端が開放された円筒形の本体Ａ１１０及び本体Ｂ１２０が開放部分を対向させて本体部１００の両端に備えられ、本体Ａ１１０と本体Ｂ１２０の間には両端が開放された少なくとも１つの円筒形本体Ｃ１３０が備えられる。より詳細には、本体Ａ１１０の内周面は本体Ｃ１３０の外周面と等しくなり、本体Ｃ１３０の内周面は本体Ｂ１２０の外周面と等しくなるように備えられるので、本体Ａ１１０、本体Ｂ１２０及び本体Ｃ１３０が互いに重なるように構成される。
【００２６】
すなわち、本体部１００は、本体Ａ１１０、本体Ｃ１３０、本体Ｂ１２０の順に並べられて本体部１００が構成されると、本体Ａ１１０の内部に本体Ｃ１３０が重なり、本体Ｃ１３０の内部に本体Ｂ１２０が重なり、本体部１００を全て折り畳んだときの体積が小さくなるので、ユーザの携帯及び保管が容易になるという効果がある。
【００２７】
また、図７及び図８に示すように、本体Ａ１１０の開放された側の一端には内周面に突出した離脱防止用段差１０５が備えられ、本体Ｃ１３０の一端には外周面に突出した離脱防止用段差１０５が備えられている。詳細には、本体Ａ１１０及び本体Ｃ１３０に対向する方向に突出した離脱防止用段差１０５が備えられ、本体Ａ１１０の内部に挿入される本体Ｃ１３０が離脱しないようにする。
【００２８】
また、本体Ｂ１２０の開放された側の一端には外周面に突出した離脱防止用段差１０５が備えられ、本体Ｃ１３０の他端には内周面に突出した離脱防止用段差１０５が備えられている。詳細には、本体Ｂ１２０及び本体Ｃ１３０に対向する方向に突出した離脱防止用段差１０５が備えられ、本体Ｃの内部に挿入される本体Ｂ１２０が離脱しないようにする。
【００２９】
すなわち、本体Ａ１１０、本体Ｃ１３０及び本体Ｂ１２０は、内部に高圧酸素を注入すると、膨張して本体部１００が押されるが、離脱防止用段差１０５が備えられているので離脱しない。
【００３０】
図３に示すように、本体出入口２００は、覆蓋２２０とガイドレール２１０とを含み、本体Ａ１１０の側面に備えられる。詳細には、本体Ａ１１０は外周面に沿って形成される一対のガイドレール２１０を備え、ガイドレール２１０間は開口しており、前記開口面と同じ大きさの覆蓋２２０がガイドレール２１０に挿入されて引戸式の本体出入口２００が備えられる。より詳細には、本体Ａ１１０の外周面に沿って形成される一対のガイドレール２１０は、対向する内側に長手方向に形成された溝を備え、それに覆蓋２２０が挿入され、一対のガイドレール２１０の一端と他端は互いに連結され、覆蓋２２０を閉じたときに本体部１００が密閉されるように構成される。さらに詳細には、本体Ａ１１０に備えられた本体出入口２００の開口部分の枠に外面に突出したガイドレール２１０が備えられ、ガイドレール２１０の内面に沿って溝が備えられ、前記溝に覆蓋２２０が挿入される。すなわち、本体出入口２２０は引戸式であり、覆蓋２２０を閉じると本体部１００が密閉されるので、内部の圧縮酸素が外部に流出することを防止する効果がある。
【００３１】
図４及び図６に示すように、チューブ出入口４００は本体出入口２００と同じ位置に備えられ、チューブ出入口４００は外部ジッパー４１１及び内部ジッパー４２１が並んで備えられ、外部ジッパー４１１及び内部ジッパー４２１は互いに重ならないように所定間隔離間して備えられ、外部ジッパー４１１と内部ジッパー４２１の間には少なくとも１つの突起部４１５、４２５が形成されている。詳細には、チューブ出入口４００は開口部分が外皮４１０と内皮４２０に分かれ、それぞれの切断面が外部ジッパー４１１と内部ジッパー４２１となっており、外皮４１０と内皮４２０の間にジッパーの長手方向に形成された少なくとも１つの突起部４１５、４２５が形成されている。より詳細には、図６に示すように、外皮４１０に備えられる第１突起部４１５と、内皮４２０に備えられる第２突起部４２５とを含み、それらが外部ジッパー４１１と内部ジッパー４２１の間に位置し、第１突起部４１５及び第２突起部４２５は内皮４１０と外皮４２０が近づくと互いに噛み合う形状となるように突起の大きさに応じて離間して備えられる。
【００３２】
すなわち、チューブ３００内に高圧酸素を注入すると外部ジッパー４１１及び内部ジッパー４２１により二重に酸素流出が遮断され、チューブが膨張すると高圧酸素により内皮４２０が外皮４１０を外側に押し、第１突起部４１５が第２突起部４２５に噛み合うことによりチューブからの高圧酸素の流出を遮断し、外部ジッパー４１１及び内部ジッパー４２１を保護する効果がある。
【００３３】
図６に示すように、第１突起部４１５及び第２突起部４２５は、高圧酸素の流出をより効果的に遮断できるように、フック状の輪４１５'、４２５'で備えられてもよい。詳細には、フック状の輪４１５'、４２５'は、「？」の形状の輪であり、外皮４１０と内皮４２０の間にジッパーの長手方向に形成される。より詳細には、「？」の形状のフック状輪４１５'、４２５'は、互いに締結されるように互いに反対方向に備えられる。具体的には、第１突起部４１５が倒立した「？」の形状で備えられる第１輪部４１５'と、第２突起部４２５が「？」の形状で備えられる第２輪部４２５'とを含む。
【００３４】
すなわち、チューブが高圧酸素の注入により膨張すると、外部ジッパー４１１及び内部ジッパー４２１が二重に酸素流出を遮断する。さらに、チューブの膨張時に第１輪部４１５'が第２輪部４２５'に締結されるので、チューブの膨張による張力の発生が大きくなるほど第１輪部４１５'及び第２輪部４２５'はより堅固に締結され、チューブ３００からの高圧酸素の流出を遮断して外部ジッパー４１１及び内部ジッパー４２１を保護することができるという効果がある。
【００３５】
図９に示すように、本体部１００の下端に着脱可能な移動手段が備えられる。詳細には、本体Ａ１１０の下端面に着脱する移動手段として車輪７００が備えられる。より詳細には、車輪７００は車輪柱と車輪とから構成され、本体部１００に着脱できるように、本体Ａ１１０に車輪柱が挿入される孔が備えられている。
【００３６】
すなわち、本体Ａに着脱可能な車輪７００は、チャンバの移動時には車輪を本体Ａ１１０に締結して用いることができ、チャンバ１０の使用時には車輪７００を除去することができる。
【００３７】
すなわち、本発明の一実施形態による携帯可能な折り畳み式高圧酸素チャンバは、本体Ａと、本体Ｂと、本体Ｃとからなる本体部が互いに重なるように挿入されて変形可能であるので、本体部の体積を減らすことができ、保管が容易であると共に、ソフトチャンバであるチューブのみを用いるのでなく、ハードチャンバである本体部をさらに備えるので、より安全に高圧酸素治療を施すことができる。
【００３８】
また、前記チューブは、外部ジッパーと内部ジッパーとからなる出入口を含むので、チューブ内部の高圧酸素が外部に流出することを防止することができ、これは高圧酸素チャンバの最も危険な要素である高圧酸素爆発を防止することができるという効果がある。詳細には、高圧酸素チャンバの最も危険な要素である高圧酸素爆発は、高圧酸素チャンバの内部空気が膨張時に外部に流出し、外部機器の電流スパークなどに触れることにより起こるが、本発明のチューブは外部ジッパー及び内部ジッパーのように２段構造で備えられるので、チューブからの高圧酸素の流出をより効果的に防止することができ、また外部ジッパーと内部ジッパーの間に突起部及び輪部がさらに形成されるので、より効果的に酸素流出を遮断することができる。
【００３９】
すなわち、チューブ内の高圧酸素の流出は、チューブ、内部ジッパー、突起部（輪部）、外部ジッパー、本体部及び本体出入口のように多重に遮断されるので、より安全に高圧酸素治療を施すことができるという特徴がある。
【００４０】
本発明が本発明の要旨と必須の特徴から逸脱しない範囲で他の特定の形態で具体化できることは当業者にとって明らかである。
【符号の説明】
【００４１】
チャンバ  １０
本体部  １００
離脱防止用段差  １０５
本体Ａ  １１０
本体Ｂ  １２０
本体Ｃ  １３０
本体出入口  ２００
ガイドレール  ２１０
覆蓋  ２２０
チューブ  ３００
チューブ出入口  ４００
外皮  ４１０
内皮  ４２０
外部ジッパー  ４１１
内部ジッパー  ４２１
第１突起部  ４１５
第２突起部  ４２５
第１輪部  ４１５'
第２輪部  ４２５'
酸素発生部  ５００
酸素注入管  ５１０
酸素通路口  ５２０
酸素注入口  ５３０
酸素調節部  ６００
車輪  ７００
【図１】
2016087414.tif 000003
【図２】
2016087414.tif 000004
【図３】
2016087414.tif 000005
【図４】
2016087414.tif 000006
【図５】
2016087414.tif 000007
【図６】
2016087414.tif 000008
【図７】
2016087414.tif 000009
【図８】
2016087414.tif 000010
【図９】
2016087414.tif 000011